(57)【要約】【課題】  工事中に蓋の部分に傷が付いたり汚れがついて蓋の取り替えの必要がない避難ハッチの施工方法を提供する。【解決手段】  ベランダ等に非常用避難口を形成する際に、非常用避難口にハッチ枠を固定するためのアングル，ナットあるいは受け金具などの固定具を取り付けておき、そして竣工前にこの固定具にハッチ枠を取り付けて非常用避難口に避難ハッチを施工する方法。【選択図】  図１
2007325687.tif 000002
【特許請求の範囲】
【請求項１】
ベランダ等に非常用避難口を形成する際に、非常用避難口にハッチ枠を固定するためのアングル，ナットあるいは受け金具などの固定具を取り付けておき、そして竣工前にこの固定具にハッチ枠を取り付けて非常用避難口に避難ハッチを施工する方法。
【発明の詳細な説明】
【技術分野】
【０００１】
本発明は、ベランダ等の非常用避難口に設置が義務付けられている避難ハッチの施工方法に関するものである。
【背景技術】
【０００２】
従来、この種の避難ハッチは、マンション建築時のベランダ等作成時に、その非常用避難口に埋め込まれている。そして、マンションが完成する竣工時までそのままの状態（取付の完了した完成状態）で放置されている。
【０００３】
しかしながら、前記した従来のようにベランダ作成時にその非常用避難口に避難ハッチを埋め込み、マンションの竣工時まで完成状態で放置しておくと、マンションの建設工事中の不注意によりまたは風雨等によって避難ハッチの新品の蓋に傷が付いたり汚れたりして、引渡し前にこの蓋を改めて新品と取り替えるなどの余計な工事が必要になる場合がある。
【発明の開示】
【発明が解決しようとする課題】
【０００４】
本発明は、かかる従来技術の現状に鑑み、創案されたものであり、工事中に蓋の部分に傷が付いたり汚れがついて蓋の取り替えの必要がない避難ハッチの施工方法を提供することを目的とする。
【課題を解決するための手段】
【０００５】
本発明は、ベランダ等に非常用避難口を形成する際に、非常用避難口にハッチ枠を固定するためのアングル，ナットあるいは受け金具などの固定具を取り付けておき、そして竣工前にこの固定具にハッチ枠を取り付けて非常用避難口に避難ハッチを施工する方法である。
【発明の効果】
【０００６】
本発明の避難ハッチの施工方法によれば、工事中の非常用避難口には固定具のみが取り付けられて避難ハッチのない状態となっているので、従来の避難ハッチのように新品の蓋の部分に傷が付いたり汚れたりせず、引渡し前にこの蓋を改めて新品に取り替えるなどの余計な工事が不要になるという効果がある。
【発明を実施するための最良の形態】
【０００７】
本発明の方法によれば、ベランダ等に非常用避難口を形成する際に、非常用避難口にハッチ枠を固定するためのアングル，ナットあるいは受け金具などの固定具を取り付けておき、建設作業後竣工前にこの固定具にハッチ枠を取り付けるので、ハッチ枠が建設作業時に存在しない。建設作業時にはハッチ枠の部分には代わりに板状部材などの保護部材を置いておけばよい。従って、避難ハッチの完成までに不注意や天候によるハッチ枠の傷の発生がなく、蓋の取り替えが不要である。
【実施例１】
【０００８】
本発明において固定具がアングルの場合の一実施例を図１〜図４について説明する。図１は非常用避難口にアングルを取り付けた状態を示す縦断側面図、図２は図１を上からみた図、図３は図１にハッチ枠を取り付けた状態を示す縦断側面図、図４は図３を上からみた図である。
【０００９】
図において、１はベランダ２の非常用避難口、３はベランダ２に非常用避難口１を形成するための四角筒状の型枠、４は非常用避難口１の縁に埋設されかつその上面と内面にそれぞれネジ穴４ａを有しているアングル、５は上下に２分割された上枠５Ａと下枠５Ｂとからなるハッチ枠であり、このハッチ枠には最終的に上下蓋が付いて避難はしごが折り畳み格納されるなどの機能が装備される。
【００１０】
まず、ベランダ２に非常用避難口１を形成するとき、予め型枠３の外周上端部にアングル４をその内面ネジ穴４ａを用いてビス３ａで取り付けておく。図１，図２に想像線で示す状態の型枠３を用いてベランダ２に非常用避難口１を形成する。アングル４の上面をベランダ２のフロアーラインと面一に合わせて固定してコンクリートを流し込む。コンクリートが固まった時点で、アングル４を止めているビス３ａを外して型枠３を抜き取り、アングル４を非常用避難口１の上端縁に残しておく（図１，図２に実線で示す状態）。
【００１１】
次に、竣工前になると、ハッチ枠５の上枠５Ａを非常用避難口１に上方から嵌めてアングル４にビス５ａを用いてその上面と内面の各ネジ穴４ａにそれぞれ止めて取り付け、この上枠５Ａに非常用避難口１の下方から嵌めた下枠５Ｂをビス５ｂで連結して、図３，図４に示すように非常用避難口１にハッチ枠５を取り付ける。
【００１２】
このようにして避難ハッチを非常用避難口１に施工すると、工事中は図１，図２に実線で示すように非常用避難口１にはアングル４のみが取り付けられた避難ハッチのない状態となるので、工事中に避難ハッチの蓋の部分に傷が付いたり汚れたりすることがなく、引渡し前に蓋を新品に取り替えるなどの余計な工事が不要になる。
【実施例２】
【００１３】
本発明において固定具がナットの場合の一実施例を図５〜図８について説明する。図５は非常用避難口にナットを取り付けた状態を示す縦断側面図、図６は図５を上からみた図、図７は図５にハッチ枠を取り付けた状態を示す縦断側面図、図８は図７を上からみた図であり、各図中前記した実施例１と同一又は相当部分には同一符号を付して説明を省略する。
【００１４】
図において、６は上端鍔６ａを有する四角筒状の型枠、７は非常用避難口１の周囲四隅のベランダ面にそれぞれ埋設されるナットで、上下方向にネジ固定できる向きに固定されている。
【００１５】
まず、ベランダ２に非常用避難口１を形成するとき、予め型枠６の上端鍔６ａの下面に４個のナット７をビス６ｂによってそれぞれ取り付けておく。図５，図６に想像線で示す状態の型枠６を用いてベランダ２に非常用避難口１を形成する。各ナット７の上面をベランダ２のフロアーラインとそれぞれ面一に合わせて固定してコンクリートを流し込む。コンクリートが固まった時点で、各ナット７を止めているビス６ｂを外して型枠６を上方に抜き取り、各ナット７を非常用避難口１の周囲四隅のベランダ面に残しておく（図５，図６に実線で示す状態）。
【００１６】
次に、竣工前になると、ハッチ枠５の上枠５Ａを非常用避難口１に上方から嵌めて各ナット７にビス５ａを用いてそれぞれ止めて取り付け、この上枠５Ａに非常用避難口１の下方から嵌めた下枠５Ｂをビス５ｂで連結して、図７，図８に示すように非常用避難口１にハッチ枠５を取り付ける。
【００１７】
このようにして避難ハッチを非常用避難口１に施工すると、工事中は図５，図６に実線で示すように非常用避難口１にはナット７のみが取り付けられた避難ハッチのない状態となるので、工事中に避難ハッチの蓋の部分に傷が付いたり汚れたりすることがなく、引渡し前に蓋を新品に取り替えるなどの余計な工事が不要になる。
【実施例３】
【００１８】
本発明において固定具が受け金具の場合の一実施例を図９〜図１２について説明する。図９は非常用避難口に受け金具を取り付けた状態を示す縦断側面図、図１０は図９を上からみた図、図１１は図９にハッチ枠を取り付けた状態を示す縦断側面図、図１２は図１１を上からみた図であり、各図中前記した実施例１と同一又は相当部分には同一符号を付して説明を省略する。
【００１９】
図において、８は内側四隅に４個の鍔８ａを有する四角筒状の型枠、９は非常用避難口１の四隅にそれぞれ取り付けられかつそれぞれネジ穴９ａを有している４個の受け金具、１０は各受け金具９に結合する鍔部１０ａを有する上枠１０Ａとこの上枠１０Ａに止める下枠１０Ｂとからなるハッチ枠でであり、このハッチ枠には最終的に上下蓋が付いて避難はしごが折り畳み格納されるなどの機能が装備される。
【００２０】
まず、ベランダ２に非常用避難口１を形成するとき、予め型枠８の各鍔８ａに受け金具９をそのネジ穴９ａを用いてビス９ｂによりそれぞれ取り付けておく。図９，図１０に想像線で示す状態の型枠８を用いてベランダ２に非常用避難口１を形成する。流し込んだコンクリートが固まった時点で、各受け金具９を止めているビス９ｂを外して型枠８を抜き取り、各受け金具９をそれぞれ非常用避難口１の四隅に残しておく（図９，図１０に実線で示す状態）。
【００２１】
次に、竣工前になると、ハッチ枠１０の上枠１０Ａを非常用避難口１に上方から嵌めて各受け金具９にそのネジ穴９ａを用いてビス１０ｂによりそれぞれ止めて取り付け、この上枠１０Ａに非常用避難口１の下方から嵌めた下枠１０Ｂを止めて連結して、図１１，図１２に示すように非常用避難口１にハッチ枠１０を取り付ける。
【００２２】
このようにして避難ハッチを非常用避難口１に施工すると、工事中は図９，図１０に実線で示すように非常用避難口１には受け金具９のみが取り付けられた避難ハッチのない状態となるので、工事中に避難ハッチの蓋の部分に傷が付いたり汚れたりすることがなく、引渡し前に蓋を新品に取り替えるなどの余計な工事が不要になる。
【産業上の利用可能性】
【００２３】
本発明は、ベランダ等の非常用避難口に設置が義務付けられている避難ハッチの施工方法に広く活用できる。
【図面の簡単な説明】
【００２４】
【図１】本発明の実施例１を示すもので、非常用避難口にアングルを取り付けた状態を示す縦断側面図である。
【図２】図１を上からみた図である。
【図３】図１にハッチ枠を取り付けた状態を示す縦断側面図である。
【図４】図３を上からみた図である。
【図５】本発明の実施例２を示すもので、非常用避難口にナットを取り付けた状態を示す縦断側面図である。
【図６】図５を上からみた図である。
【図７】図５にハッチ枠を取り付けた状態を示す縦断側面図である。
【図８】図７を上からみた図である。
【図９】本発明の実施例３を示すもので、非常用避難口に受け金具を取り付けた状態を示す縦断側面図である。
【図１０】図９を上からみた図である。
【図１１】図９にハッチ枠を取り付けた状態を示す縦断側面図である。
【図１２】図１１を上からみた図である。
【符号の説明】
【００２５】
１：非常用避難口
２：ベランダ
３：型枠
４：アングル
５：ハッチ枠
５Ａ：上枠
５Ｂ：下枠
６：型枠
６ａ：型枠６の上端鍔
７：ナット
８：型枠
８ａ：型枠８の鍔
９：受け金具
９ａ：受け金具９のネジ穴
１０：ハッチ枠
１０Ａ：上枠
１０Ｂ：下枠
１０ａ：ハッチ枠１０の鍔部
【図１】
2007325687.tif 000003
【図２】
2007325687.tif 000004
【図３】
2007325687.tif 000005
【図４】
2007325687.tif 000006
【図５】
2007325687.tif 000007
【図６】
2007325687.tif 000008
【図７】
2007325687.tif 000009
【図８】
2007325687.tif 000010
【図９】
2007325687.tif 000011
【図１０】
2007325687.tif 000012
【図１１】
2007325687.tif 000013
【図１２】
2007325687.tif 000014